(57)【要約】【課題】コンパクトディスクを入れるパッケージの取り出し易さ、内容を記したラベル面の識別のし易さを向上させ、厚さの異なるコンパクトディスクパッケージの収納が容易である収納ケースを提供すること。【解決手段】後面板と、一対の側面板と、上板と、底面板と、中仕切板とを組合せて前面部に開口部を有する箱型ケース本体を設け、幅寸法の異なる複数のコンパクトディスクパッケージ支持棚と、固定突設部を設けた一対の可変厚保持体を設け、一対の側面板の開口部側端部から一対の固定部材を設け、該一対の可変厚保持体を箱型ケース本体に挿入し、該固定部材で選択的に固定することにより厚さの異なるコンパクトディスクパッケージの収容空間を構成する。【選択図】　　　　図１
2004035044.tif 000002
【特許請求の範囲】
【請求項１】
厚さの異なるコンパクトディスクを入れるパッケージを収納するケースであって、該収納ケースは矩形状の後面板と、該後面板の両側縁から前方に延在する一対の側面板と、該後面板の上端縁から前方に延在する上板と、該後面板の底部端面から前方に延在する底面板と、該一対の側面板のほぼ中央部から前方に延在し、それらの片側部は後面板に連結せしめた一対の中仕切板とを組合せて前面部に開口部を有する箱型ケース本体を設け、矩形状の保持板の内壁部上に垂直に幅寸法の異なる複数のコンパクトディスクパッケージ支持棚を設け、該支持棚の両端部は該保持板の両端部から突設した固定突設部を設けて可変厚保持体の一方を形成し、同様に対称となるように形成した他方の可変厚保持体とからなる一対の可変厚保持体とを設け、該後面板の両端部に該支持棚の固定突設部が挿入するよう複数の溝部を設け、該上板の内面側と該一対の中仕切板の両面および底面板の内面部のそれぞれの両端部近傍に前記一対の可変厚保持体の幅を確定するための位置決め溝部を設け、上板および底面板の開口部側の先端部近傍に係合用部材を設け、該一対の側面板の開口部側端部からヒンジ部で結合した可変厚保持体固定蓋を設け、該固定蓋には一対の中仕切板の一方の片側部および固定突設部を挿入可能とする複数の固定用溝部を設け、固定蓋に直角に連結する平面部材とそれにヒンジで連結するフック部材からなる一対の固定部材を設け、該一対の可変厚保持体を上板の位置決め溝部、一対の中仕切板の位置決め溝部、底面板の位置決め溝部に挿入し、該係合用部材とフック部材を係合することにより固定部材で選択的に固定することにより厚さの異なるコンパクトディスクパッケージの収容空間を構成することを特徴とする厚さの異なるコンパクトディスクパッケージの収納ケース。
【請求項２】
請求項１の厚さの異なるコンパクトディスクパッケージの収納ケースを複数個連結したことを特徴とする厚さの異なるコンパクトディスクパッケージの収納ケース。
【請求項３】
それぞれ長手方向両端縁に沿って段部を設けた蓋板と底板と、２つの側板とからなり、これらの板材を前記段部を合して両端部が開口されたケースを組立てると共に一方の開口端部を閉塞し、互いに対向する側板の間壁部に幅寸法の異なる支持棚を形成することを特徴とする厚さの異なるコンパクトディスクパッケージの収納ケース。
【請求項４】
請求項３記載の厚さの異なるコンパクトディスクパッケージの収納ケースを複数個連結したことを特徴とする厚さの異なるコンパクトディスクパッケージの収納ケース。
【発明の詳細な説明】
【０００１】
【発明の属する技術分野】
本発明は、パーソナルコンピュータやワードプロセッサー等に使用されるハードケース型のフレキシブルディスクや音楽用コンパクトディスクを入れるパッケージを収納するコンパクトディスクパッケージの収納ケースに係わり、特に特定の厚さのパッケージに限定されることなく、厚さの異なるパッケージをも収納するのに適した厚さの異なるコンパクトディスクパッケージの収納ケースに関するものである。
【０００２】
【従来の技術】
従来、この種のコンパクトディスクを入れるパッケージを複数個まとめて収納するコンパクトディスクパッケージの収納ケースとして、図２３に示す箱型のディスク収納ケースが知られている。
【０００３】
図２３には、一般に知られているディスク収納ケース７５を示し、後面壁７６と、後面壁７６に連結された一対の側面壁７８，８０、上面壁８２、底面壁８４および複数の突設したガイドレール８６とから構成され、後面壁７６と相対する前面部が開口され、ガイドレール８６で形成される溝部８８に沿って多数枚のパッケージ９０が出し入れ自由に収納できる。
【０００４】
【発明が解決しようとする課題】
しかしながら、従来のディスク収納ケースの場合、ガイドレールで形成される溝部の幅は一定であり一定の厚さのパッケージを収納するには適しているが、近年は、厚さの異なる多種類のパッケージが使用されるに至っており、例えば標準的な厚さがおよそ１０ミリメートルのパッケージの他に厚さ５ミリメートル、７ミリメートル、２５ミリメートルのパッケージも広く使用されている。かかる厚さの異なる多種類のパッケージを収納しようとする場合には、厚さの薄いパッケージは重なり合って収納されるために個々に取り出すことが不都合になったり、また、パッケージの内容を記載したラベルを識別するのに不便であったり、あるいは、厚さの大きいパッケージは溝部の幅が狭すぎて収納できないという不具合が生じる。また、一般的にこれらのパッケージを一度に多数枚を購入することは少なく経時的に買い足して徐々に貯まって行くことが多く、パッケージの枚数に比較して収納できる容量が大きすぎパッケージが倒れたり、外観上の見栄えが悪くなるという不都合がある。
【０００５】
【課題を解決するための手段】
そこで、前記の難点を克服するため、本発明に係る厚さの異なるコンパクトディスクパッケージの収納ケースは、コンパクトディスクを入れるパッケージを収納するコンパクトディスクパッケージの収納ケースであり、該収納ケースは、矩形状の後面板と、該後面板の両側縁から前方に延在する一対の側面板と、該後面板の上端縁から前方に延在する上板と、該後面板の底部端面から前方に延在する底面板と、該一対の側面板のほぼ中央部から前方に延在し、それらの片側部は後面板に連結せしめた一対の中仕切板とを組合せて前面部に開口部を有する箱型ケース本体を設け、矩形状の保持板の内壁部上に垂直に幅寸法の異なる複数のコンパクトディスクパッケージ支持棚を設け、該支持棚の両端部は該保持板の両端部から突設した固定突設部を設けて可変厚保持体の一方を形成し、同様に対称となるように形成した他方の可変厚保持体とからなる一対の可変厚保持体とを設け、該後面板の両端部に該支持棚の固定突設部が挿入するよう複数の溝部を設け、該上板の内面側と該一対の中仕切板の両面および底面板の内面部のそれぞれの両端部近傍に前記一対の可変厚保持体の幅を確定するための位置決め溝部を設け、上板および底面板の開口部側の先端部近傍に係合用部材を設け、該一対の側面板の開口部側端部からヒンジ部で結合した可変厚保持体固定蓋を設け、該固定蓋には一対の中仕切板の一方の片側部および固定突設部を挿入可能とする複数の固定用溝部を設け、固定蓋に直角に連結する平面部材とそれにヒンジで連結するフック部材からなる一対の固定部材を設け、該一対の可変厚保持体を上板の位置決め溝部、一対の中仕切板の位置決め溝部、底面板の位置決め溝部に挿入し、該係合用部材とフック部材を係合することにより固定部材で選択的に固定することにより厚さの異なるコンパクトディスクパッケージの収容空間を構成することを特徴とする。
【０００６】
また、請求項１記載の厚さの異なるコンパクトディスクパッケージの収納ケースを複数個連結したことにより収納するパッケージの個数が多量になった場合に好適に収納できる。
【０００７】
さらに、それぞれ長手方向両端縁に沿って段部を設けた蓋板と底板と、２つの側板とからなり、これらの板材を前記段部を合して両端部が開口されたケースを組立てると共に一方の開口端部を閉塞し、互いに対向する側板の間壁部に厚さの異なる支持棚を形成することにより多数個のパッケージを収納できるコンパクトディスクパッケージの収納ケースを簡便に作製することができる。
【０００８】
さらに、請求項３記載の厚さの異なるコンパクトディスクパッケージの収納ケースを複数個連結したことにより更に多数個のパッケージを好適に収納できる。
【０００９】
【発明の実施の形態】
次に、本発明に係わるコンパクトディスクパッケージ収納ケースの実施例につき、添付図面を参照しながら以下詳細に説明する。
【００１０】
実施例
　図１は、本発明の実施例に係る厚さの異なるコンパクトディスクパッケージの収納ケース１０の外観形状を示す斜視図であり、後面板１２と、後面板の両側縁から前方に延在する一対の側面板１４，１４と、後面板の上端縁から前方に延在する上板１６と、後面板の底部端面から前方に延在する底面板１８と、該一対の側面板のほぼ中央部から前方に延在し、それらの片側部は後面板に連結せしめた一対の中仕切板２０とを組合せて前面部に開口部２２を有する箱型ケース本体２４を形成し、一対の可変厚保持体２６，２６が位置決め溝部に沿って挿入され、一対の固定部材２８，２８が一対の側面板の開口部側端部に設けられている。
【００１１】
図２は、底面板１８を上方から見た平面図を示し、底面板の両端部端部近傍に一対の可変厚保持体２６，２６の幅を確定するための位置決め溝部３０，３２，３４が後面板から開口部方向に平行に設けられている。また、上板１６の内面側と中仕切板２０の両面側とに前記位置決め溝部３０，３２，３４と対称となる位置に同様に位置決め溝部が設けられている（図示せず）。また、底面板および上板（図示せず）の開口部側の先端近傍に係合用部材３６，３６を設けている。
【００１２】
図３は、箱型ケース本体２４の開口部２２から見た上板１６、中仕切板２０および底面板１８の端部の形状を示したものであり位置決め溝部３０，３２，３４が対称的に設けられている。
【００１３】
図４は、一方の可変厚保持体２６の斜視図であり、矩形状の保持板３８の内壁部上に垂直に幅寸法の異なる複数のコンパクトディスクパッケージ支持棚４０，４２，４４を設け、支持棚の両端部には突設した固定突設部４６，４８，５０を設けている。
【００１４】
図５は、箱型ケース本体２４の開口部２２方向から見た後面板１２を示し、可変厚保持体２６を位置決め溝部３０，３２，３４に沿って装入した際に可変厚保持体の固定突設部４６，４８，５０が挿入するように複数の溝部５２，５４，５６が後面板の両端部端部に設けられている。
【００１５】
また、中仕切板２０の片側部は後面板１２に連結している状態を示す。
【００１６】
図６は、図１に示す固定部材２８の構成を示し、該固定部材は、該一対の側面板１４の開口部側端部からヒンジ部５８で結合した可変厚保持体固定蓋６０を設け、該固定蓋には一対の可変厚保持体２６の固定突設部４６，４８，５０および中仕切板２０の開口部側の片側部が挿入可能とする複数の固定用溝部６２、６２．６２を設け、固定蓋に直角に連結する平面部材６４とそれにヒンジ６６で連結するフック部材６８とから構成されている。
【００１７】
図７は、固定部材２８を閉じて可変厚保持体２６とを係合した状態を収納ケース１０の上方から見た模式図であり、該一対の可変厚保持体２６を上板の位置決め溝部、中仕切板の位置決め溝部、底面板の位置決め溝部に挿入した後に、手操作により固定部材２８をヒンジ部５８を支点として可変厚保持体固定蓋６０を回転させ更にヒンジ６６によりフック部材６８を図２に示す係合用部材３６に係合して可変厚保持体固定突設部とに固定することができる。
【００１８】
図８は、固定部材２８を係合した状態を開口部２２の方向から見た模式図であり、可変厚保持体固定蓋６０の複数の固定溝６２，６２，６２に可変厚保持体２６の固定突設部４６，４８，５０および中仕切板２０（図示せず）が挿入し固定されている。
【００１９】
図９は、コンパクトディスクパッケージの収納ケース１０に一対の可変厚保持体２６，２６を位置決め溝部３０，３２，３４に挿入した状態を開口部２２方向から見た模式図を示し、上板１６の位置決め溝部３０，３０と中仕切板２０の上面側の対称となる位置決め溝部３０，３０に一対の可変厚保持体２６，２６を挿入し、同様に中仕切板２０の下面側の位置決め溝部３２，３２と底面板１８の位置決め溝部３２，３２とに一対の可変厚保持体２６，２６を挿入している。
【００２０】
図１０は、図９と同様にコンパクトディスクパッケージの収納ケース１０に一対の可変厚保持体２６，２６を位置決め溝部３０，３２，３４に挿入した状態を開口部２２方向から見た模式図を示し、上板１６の位置決め溝部３４，３４と中仕切板２０の上面側の対称となる位置決め溝部３４，３４に一対の可変厚保持体２６，２６を挿入している。
【００２１】
また、可変厚保持体２６，２６を挿入しない状態では複数の溝部５２，５４，５６が示される。
【００２２】
図１１は、図９の状態で厚さ５ミリメートルのパッケージ７０および厚さ１０ミリメートルのパッケージ７２をそれぞれに収納した状態を開口部方向から見た模式図を示し、可変厚保持体２６，２６を位置決め溝部３０，３０に挿入し支持棚４０，４２，４４を最も近づけると支持棚４０，４２，４４の先端部間の距離は厚さ５ミリメートルのパッケージを収納するのに適した長さとなり、４枚のパッケージが収納できる。しかしながら、厚さが１０ミリメートル以上のパッケージはコンパクトディスクパッケージ支持棚４０，４２，４４の先端部間の距離はパッケージの幅より小さくなりパッケージの幅が大きすぎて障害となって収納できない。一方、可変厚保持体２６，２６を位置決め溝部３２，３２に挿入した場合は支持棚４０、４４の先端部間の距離は厚さ５および７ミリメートルのパッケージの幅より大きくなり収納出来なくなり、厚さ１０ミリメートルのパッケージ７２，７２を収納するのに適した長さとなる。
【００２３】
図１２は、図１０の状態で厚さ２５ミリメートルのパッケージ７４を収納した状態を示し、可変厚保持体２６，２６を位置決め溝部３４，３４に挿入し支持棚４０，４２，４４を最も遠さけると支持棚４０，４２，４４の先端部間の距離は厚さ２５ミリメートルのパッケージを収納するのに適した長さとなり、１枚のパッケージが収納できる。しかしながら、厚さ１０ミリメートル以下のパッケージはコンパクトディスクパッケージ支持棚４０，４２，４４の先端部間の距離はパッケージの幅より大きくなりパッケージの幅が不足して収納できない。
【００２４】
図１３は、前記したコンパクトディスクパッケージの収納ケース１０を３段重ねに連結した実施例を示す模式図である。すなわち、上段部は厚さ５ミリメートルのパッケージを、中段は厚さ１０ミリメートルのパッケージを、下段は厚さ２５ミリメートルのパッケージを収納するなどに設定し多様な収納が可能となる。
【００２５】
図１４は、別の実施例を示す模式図であり、コンパクトディスクパッケージの収納ケース９２は段部９４，９４を設けた蓋板９６と同様な段部９８，９８を設けた底板１００と３段の段部１０２，１０４を有する２つの側板１０６，１０６とからなり、これらの板材を段部９４，９８と１０２、１０４をそれぞれに合して両端部が開口したケースを組み立てると共に一方の開口端部を閉塞し１０８，１０８、互いに対向する側板１０６，１０６の間壁部に幅寸法の異なる一対の支持棚１１０，１１０を設けて構成されている。
【００２６】
図１５は、図１４に示したコンパクトディスクパッケージの収納ケース９２を開口部方向から見た外観を示す。ここで、支持棚１１２，１１４，１１６，１１８，１２０は、図４に示したコンパクトディスクパッケージ支持棚４６，４８，５０とほぼ同様に構成され、蓋板９６および底板１００の段部は２つの側板１０６の段部１０２の上段、１０４の下段でそれぞれ組立てられており、開口部方向の幅が異なる複数のコンパクトディスクパッケージ支持棚１１２，１１４，１１６，１１８，１２０は、図９の上部に示したのと同様な支持棚間の距離となり、厚さ５ミリメートルのパッケージ１２２が好適に収納される。
【００２７】
図１６は、図１５において蓋板９６および底板１００の段部は２つの側板１０６の段部１０２の中段、１０４の中段でそれぞれ組立てられており、開口部方向の幅が異なる複数のコンパクトディスクパッケージ支持棚１１２，１１４，１１６，１１８，１２０は、図９の下部に示したのと同様な支持棚間の距離となり、厚さ１０ミリメートルのパッケージ１２４が好適に収納される。
【００２８】
図１７は、図１５において蓋板９６および底板１００の段部は２つの側板１０６の段部１０２の下段、１０４の上段でそれぞれ組立てられており、開口部方向の幅が異なる複数のコンパクトディスクパッケージ支持棚１１２，１１４，１１６，１１８，１２０は、図１２に示したのと同様な支持棚間の距離となり、厚さ２５ミリメートルのパッケージ１２６が好適に収納される。
【００２９】
図１８および図１９は、図１４において、蓋材９６と底板１００とを２つの側板１０６と組立てる場合のこれらの結合方法を示す実施例の模式図であり、側板の３段の段部に貫通孔１２８を設け、蓋板９６の段部９４に係止部１３０を設け、該係止部の先端部は貫通孔１２８を挿通した際に段部１０２に係止するよう係止突起部１３２を突設している。
【００３０】
図２０、図２１および図２２は図１８および図１９に示した貫通孔１２８に係止部１３０を係止した場合の断面部を示す模式図であり、図２０は蓋材９６を側板１０６の３つの段部の上段に係止した場合の部分断面図である。すなわち、係止部１３０の係止突起部１３２が側板１０６に係止されている。
【００３１】
図２１および図２２は図２０と同様にそれぞれ一対の側板１０６の３つの段部の中段、下段に係止されている状態を示す。
【００３２】
以上、本発明の好適な実施例について説明したが、本発明は前記実施例に限定されることなく、本発明の精神を逸脱しない範囲内において種々の設計変更が可能であることは勿論である。例えば、可変厚保持体の支持棚の厚さ寸法、支持棚数、位置決め溝部の形状、中仕切板の形状、固定部材の形状、連結するコンパクトディスクパッケージの収納ケースの段数、係止部の形状、収納ケースの結合方法は適宜選択することができる。
【００３３】
【発明の効果】
本発明に係るコンパクトディスクパッケージの収納ケースは、一対の可変厚保持体を位置決め溝部に挿入させて支持棚間の距離を変化させることにより収納するパッケージの厚さを簡便に選択できるよう構成したことにより、パッケージの厚さに限定されることなく種々の厚さのパッケージを収納できる。
【図面の簡単な説明】
【図１】本発明の実施例に係るコンパクトディスクパッケージの収納ケース１０の外観形状を示す斜視図である。
【図２】図１のコンパクトディスクパッケージの収納ケース１０の箱型ケース本体２４を構成する底面板１８の平面図である。
【図３】図１のコンパクトディスクパッケージの収納ケース１０の箱型ケース本体２４を開口部２２方向から見た端部の形状を示す。
【図４】図１のコンパクトディスクパッケージの収納ケース１０の一対の可変厚保持体２６の外観形状を示す図である。
【図５】図１の箱型ケース本体２４の開口部２２方向から見た後面板１２の形状を示す。
【図６】図１のコンパクトディスクパッケージの収納ケース１０の固定部材２８の形状を示す斜視図である。
【図７】図１の固定部材２８を係合した状態を収納ケース１０の上方から見た模式図である。
【図８】図１の固定部材２８を係合した状態を開口部２２の方向から見た模式図である。
【図９】図１のコンパクトディスクパッケージの収納ケース１０に一対の可変厚保持体２６を位置決め溝部３０，３２に挿入した状態を開口部２２方向から見た模式図である。
【図１０】図９と同様にコンパクトディスクパッケージの収納ケース１０に一対の可変厚保持体２６を位置決め溝部３４に挿入した状態を開口部２２方向から見た模式図である。
【図１１】図９の状態で厚さ５ミリメートルのパッケージ７０および厚さ１０ミリメートルのパッケージ７２をそれぞれに収納した状態を開口部方向から見た模式図である。
【図１２】図１０の状態で厚さ２５ミリメートルのパッケージ７４を収納した状態を開口部方向から見た模式図である。
【図１３】コンパクトディスクパッケージの収納ケース１０を３段重ねに連結した実施例を示す模式図である。
【図１４】別の実施例を示す模式図であり蓋板９６と底板１００とを２つの側板１０６と組立てることにより構成される。
【図１５】図１４の別の実施例を開口部方向から見た外観を示す。
【図１６】別の実施例を開口部方向から見た外観を示す。
【図１７】別の実施例の開口部方向から見た外観を示す。
【図１８】図１４において、結合方法を示す実施例の模式図である。
【図１９】図１４において、結合方法を示す実施例の模式図である。
【図２０】図１８および図１９に示した段部の上段の貫通孔１２８に係止部１３０を係止した場合の断面部を示す模式図である。
【図２１】図１８および図１９に示した段部の中段に貫通孔１２８に係止部１３０を係止した場合の断面部を示す模式図である。
【図２２】図１８および図１９に示した段部の下段に貫通孔１２８に係止部１３０を係止した場合の断面部を示す模式図である。
【図２３】一般的なディスク収納ケースを示す。
【符号の説明】
１０　本発明のコンパクトディスクパッケージの収納ケース
１２　後面板
１４　一対の側面板
１６　上板
１８　底面板
２０　中仕切板
２２　開口部
２４　箱型ケース本体
２６　一対の可変厚保持体
３０　位置決め溝部
３２　位置決め溝部
３４　位置決め溝部
３６　係合用部材
３８　保持板
４０　支持棚
４２　支持棚
４４　支持棚
４６　固定突設部
４８　固定突設部
５０　固定突設部
５２　溝部
５４　溝部
５６　溝部
５８　ヒンジ部
６０　可変厚保持体固定蓋
６２　固定用溝部
６４　平面部材
６６　ヒンジ
６８　フック部材
７０　パッケージ
７２　パッケージ
７４　パッケージ
７５　ディスク収納ケース
７６　後面壁
７８　側面壁
８０　側面壁
８２　上面壁
８４　底面壁
８６　ガイドレール
８８　溝部
９０　パッケージ
９２　別の実施例のコンパクトディスク収納ケース
９４　段部
９６　蓋板
９８　段部
１００　底板
１０２　段部
１０４　段部
１０６　側板
１０８　閉塞
１１０　支持棚
１１２　支持棚
１１４　支持棚
１１６　支持棚
１１８　支持棚
１２０　支持棚
１２２　パッケージ
１２４　パッケージ
１２６　パッケージ
１２８　貫通孔
１３０　係止部
１３２　係止突起部
【図１】
2004035044.tif 000003
【図２】
2004035044.tif 000004
【図３】
2004035044.tif 000005
【図４】
2004035044.tif 000006
【図５】
2004035044.tif 000007
【図６】
2004035044.tif 000008
【図７】
2004035044.tif 000009
【図８】
2004035044.tif 000010
【図９】
2004035044.tif 000011
【図１０】
2004035044.tif 000012
【図１１】
2004035044.tif 000013
【図１２】
2004035044.tif 000014
【図１３】
2004035044.tif 000015
【図１４】
2004035044.tif 000016
【図１５】
2004035044.tif 000017
【図１６】
2004035044.tif 000018
【図１７】
2004035044.tif 000019
【図１８】
2004035044.tif 000020
【図１９】
2004035044.tif 000021
【図２０】
2004035044.tif 000022
【図２１】
2004035044.tif 000023
【図２２】
2004035044.tif 000024
【図２３】
2004035044.tif 000025